(57)【要約】      （修正有）【課題】貨物自動車等に備えるロープ又は貨物自動車用備品等を自動車外部面に垂下させて携行する場合、雨に濡れない様に備品等の掛け具に雨よけカバーを設けた雨よけ付き掛け具を提供する。【解決手段】ロープ６を掛けて垂下させる様にした一個又は複数個のフック２を備えた掛け具本体１の前面、後面に夫々雨よけカバー３、４を設け、且つそれ等の上部に、貨物自動車の荷台前方立ち上がり枠８に結ぶ紐５、又はそれに類する取り付け具を設ける。【選択図】図４
0003148161.tif 000002
【実用新案登録請求の範囲】
【請求項１】
任意個数のフックもしくはそれに類するものを設けられもしくは設けられ得る様にした掛け具本体に雨よけカバーを設けもしくは設け得る様にし且つそれ等の上部に少なくとも一個の取り付け具もしくはそれに類するものを設けもしくは設け得る様にした事を特徴とする雨よけ付き掛け具。
【請求項２】
堅固もしくは比較的堅固な且つ比較的扁平な形状を有する箱状様の雨よけカバーを縦置きにした状態で該雨よけカバー内側上部分に任意個数のフックを設け又は設け得る様にし且つ該雨よけカバー外側上部分に任意個数の取り付け具を設けたもしくは設け得る様にした事を特徴とする雨よけ付き掛け具。
【請求項３】
渦巻き状に丸めたもしくは丸め得る様にしたもしくは円筒状に形成した雨よけカバーの内部に少なくとも一個のフック形状を有するフックを納めて着しもしくは納めて着し得る様にし且つ前記雨よけカバーの上部分もしくは前記フック上部分に取り付け具を設けもしくは設け得る様にした事を特徴とする雨よけ付き掛け具。
【考案の詳細な説明】
【技術分野】
【０００１】  本考案は、貨物自動車等に備えるロープ又は貨物自動車用備品等を自動車外部面に垂下させて携行する場合、雨に濡れない様に備品等の掛け具に雨よけカバーを設けた雨よけ付き掛け具に関するものである。
【背景技術】
【０００２】  従来、貨物自動車等に常備する、例えばロープ等は主に貨物自動車の運転席背面外側に垂下させて携行するのが常であった。
【考案の開示】
【考案が解決しようとする課題】
【０００３】  上述の如き状態で運転中、又は屋外に駐車中に雨に遭遇した場合、概ね短時間でロープを濡らしてしまうのが常であり、助手席床面に取り込んでも大方のところ邪魔になるのが常であった。斯かる弊害を解消する為、雨よけカバーを設けたロープ等の掛け具を運転席背面外側に垂下させて前述欠点を解決しようとするものである。
【課題を解決するための手段】
【０００４】  本考案の一実施例を例示した図１〜図４の如く、ロープ６を掛ける為の一個もしくは複数個のフック２を備えた掛け具本体１に、図２中図示の如くＦ辺が繋がった雨よけカバー３、４を被せて設け、且つ掛け具本体１の一か所もしくは複数個所に紐５を設ける。７は貨物自動車運転席後部窓ガラス、８は貨物自動車の荷台前方の立ち上がり枠である。又、雨よけカバー３、４の下辺部Ｅは、下方からロープを掛ける為、開放状態とする。尚、図２は図１中Ａ〜Ｂ鎖線に沿う断面図、図３は図１中Ｃ〜Ｄ鎖線に沿う断面図、Ｆは雨よけカバー３、４の左右両端辺である。図２に図示された雨よけカバー３、４は各両端Ｆが接合した一体の物であるが、後述の変形他例説明の為、敢えて後面、前面の雨よけカバーに異なった符号を付してある。又、本図示例では雨よけカバー４は透明な塩化ビニール樹脂シートで構成されたものとの想定で示されている。
【考案の効果】
【０００５】  上述の如く本考案を使用する時は、貨物自動車の主な携行物であるロープ、その他金属製の荷締め機等を雨にさらす事を防止する事に依り、ロープに至っては老朽化を大幅に防止させ得、金属製の道具に於ても錆びの防止に役立つ効果を呈し、又ロープの場合、従来通り使用する中、時々雨に濡らして半乾きの状態で使用する事も往々にあり、荷物を荷台にきつく縛り付けてもロープが次第に乾燥するにしたがい、次第に緩んで危険な状況を作り出す等の弊害があったが、これ等を大きく解消する効果を呈するものである。
【考案を実施するための最良の形態】
【０００６】  図１の如く、複数個のフック２を下辺部に設けられた掛け具本体１に、雨よけカバーとなる袋状の塩化ビニール樹脂シートの雨よけカバー３、４を被せて設け、且つ前記雨よけカバーの上辺部もしくは前記掛け具本体１の上辺部に、紐５もしくはバンド等の取り付け具を一個もしくは複数個設ける。
【実施例１】
【０００７】  一個もしくは複数個のフック２を設けられた掛け具本体１の後面、前面に雨よけカバー３、４を垂下させて設け、且つそれ等の上辺部の一個所もしくは複数個所に、紐５もしくはバンド、もしくは鎖、もしくは掛け鉤、もしくはそれ等に類する掛け具を直接に設ける。又は前述上辺部に、図８の如く上方へ向かって設けられた少なくとも一個の棒１４、又は細長い板状のものの先端部に設ける。
【実施例２】
【０００８】  第一実施例のフック２を有する掛け具本体１と、それに設けられた雨よけカバー３、４からなる構成の変形であり、掛け具本体１と雨よけカバー３、４の代わりに、図９の如き比較的堅固で且つ扁平な所謂箱型スーツケースの片側又は両面の如き形状のものを以てした箱状の雨よけカバー１６の内部上方部に任意個数のフック１７を着し、且つ雨よけカバー１６の外側上部に、紐１５もしくはそれに代わる取り付け具を設ける。
【実施例３】
【０００９】  図５の如く、少なくとも一個のフック１０に円筒状又はうず巻き状に形成した雨よけカバー１１を被せて設け、且つそれ等の上部分に紐９、もしくは鎖、もしくはバンド、もしくは掛け鉤、もしくはそれ等に類するものを直接設けるか、又は前述上部分に上方へ向かって設けられた少なくとも一個の棒状、又は細長い板状のものの先端部に設ける。
【部分的他例】
【００１０】  部分的他例として、後述の如きもので実施しても、本考案は構成し得る。
図１、図４にて示した紐５、図５で示した紐９の他例として、鎖状のもの、ベルト状のもの、もしくは鉤状のもの、もしくはそれ等に類する物を以てしても為し得、又図８の如く、掛け具本体１の上方に設けた複数の、もしくは点線の如き一本の棒１４、もしくは細長い板状のもの、もしくはベルト状のもの、又はそれ等に類するもの等の先端部に上述取り付け具を設けても為し得、又同様に図５のフック１０、又は雨よけカバー１１の上部から図８の如き構成で上方へ向かって設けたものの先端に上述の如き取り付け具を取りつけても為し得る。又は、それ等を廃し、掛け具本体１に穴を穿ち、又は図５のフック１０の上部に、又は雨よけカバー１１の上部に穴を穿ち、該穴に通したボルトとナットで荷台前方の立上がり枠８横棒に取り付ける。又は荷台前方の立上り枠横棒に引掛ける鉤状の物を直接、又は紐もしくはベルト等、又は棒もしくはそれ等に類するものを介して掛け具本体１の任意個所に任意個数設ける。又、図１、図４、図５等に図示した、紐５、紐９は二本で例示したが、一本で構成しても為し得る。
本明細書に於て、取り付け具とは、上述のもの等、もしくはそれ等に類するもの、及び図８にて示した掛け具本体の上方に設けた棒１４等の先端部に上述の如きものを設けたもの全てを指す。
図５図示のフック１０の他例として、図６の如き２個のフックを形成したフック１２、もしくはそれ以上のフックを形成したものを以てしても為し得、又図１、４図示のフック２に於て、同様の変形を以てしても良い。
掛け具本体１の後面、前面に、図３の如く垂下させて設けた雨よけカバー３、４の立ち上がり辺が、図２の如くＦ接点にに於て接合した一実施例の他例として、雨よけカバー３、４の立ち上がりＦ辺が接合していない構造を以てしても良い。
又、上述のＦ辺が接合しているもの、接合していないものに於ても、少なくとも一方の雨よけカバーを板状のものを以て構成しても為し得る。
又、図１〜図４にて示した掛け具本体１に雨よけカバー３、４等を設けた他例として、図３の如き状態で断面された図１０の如く、掛け具本体１８の下辺部に雨よけカバー１９、２０を図の如くフック２１で着する。又は、同様に断面された図１１の如く、掛け具本体１８の側面に雨よけカバー２２、２４の端を重合して鋲２３等で着し、且つその下辺部に添わせて垂下させた雨よけカバー２４を通してフック２１を着する。
掛け具本体１とそれに設けられたフック２の構造の他例として、図７の如き、掛け具本体１とフック２が一体化した如き板状の変形型の掛け具本体１３、もしくはそれに類するものを以てしても為し得る。
掛け具本体１は、第１実施例に於ては、棒状のものを以て例示したが、その他の種々の形状のものを以てしても為し得る。
第三実施例を示した図５に於ては、フック１０の上端に紐、もしくは他の取り付け具を設けた事を示したが、他の実施例として、雨よけカバー１１上部とフック１０を堅固に着し、該雨よけカバー１１の上部に紐９、もしくは前述の如き他の取り付け具を設けて構成しても為し得る。
又、第三実施例の雨よけカバー１１は緩い円筒状のものを示したが、これに代わるものとして、緩く渦巻き状に丸めた塩化ビニール樹脂シートを以てしても良い。
実施例２の内包スペースを有する箱状の雨よけカバー１６を使用するものに於ては、多種の変化変形があり、図９の雨よけカバー１６を二個、内部空間を有する側を向かい合わせで上部Ｇ辺、もしくは側部Ｈ辺を蝶番もしくはそれに類するものを以て接合し、全体の下部もしくは側部が開閉自在になる様構成する。又は蝶番等を廃し、図示下方面の板を取り除いた二個の雨よけカバー１６を前述の如く、内部空間を有する側を向かい合わせて接合して構成する。又、上記の類似例として、図９の雨よけカバー１６の手前開口部の形状に合致する板もしくは比較的固めの樹脂シートを当てがい、前述の如く任意辺を固定もしくは一部が開口自在となる様着して構成する。又更に、図９図示そのままの状態で使用する。その場合、図示手前開口部を貨物自動車外部壁等、又建物等の壁平面部に押し当てられる様に垂下させて使用する。
【００１１】  任意事項としては次の通りである。
雨よけカバーが風等でばたつかない様にする為、雨よけカバー３、４の下方左右に夫々紐を設けて、該紐を以て荷台枠等に固定出来る様にしても良い。
各図に於て示した雨よけカバー３、４等は塩化ビニール樹脂シートを以て示したが、板もしくはある程度の柔軟性を有する板状のものを以てしても為し得、塩化ビニール樹脂シートだけに限定されるものではない。
本明細書に記載されている上（方）、下（方）等の方位表現は、図４の如く本考案が使用されている状態での方位である事を定義する。
如上、第２頁第１６行乃至第５頁第７行の第一〜三実施例、部分的実施例の組み合わせにより、本考案の精神を逸脱する事なく千差万別の変化変形を為し得る事は勿論である。
【産業上の利用可能性】
【００１２】  本明細書は、貨物自動車に於て使用している事を想定して説明したが、貨物自動車以外の運搬車、又は野ざらしの作業場、打ち雨のかかる倉庫等の外壁に於ても使用される。
貨物自動車に普通常備されているロープその他荷締め機等は通常、車外の外壁面に垂下させている事が多いが、それ等を掛けて使用する事は勿論、その外、タオル、作業着、雨合羽、傘等、種々のものを掛けて使用する事が出来る。【００１３】  付記事項として述べると、次の通りである
発明品、考案品に於ける構成は、概ねあるものにあるものを設ける、又は着する事で形作られている。本明細書に於て、例えば一部を説明すれば、掛け具本体１にフック２を設けて構成されている。斯かる場合、例えば製造、梱包、輸送、販売、利用への進行過程内での、例えば製造段階で完全な形に組み上げられている場合もあれば、販売時までは各部品が、一部又は全部品が組み立てられないままの状態で梱包されて流通し、購入者が組み立てて利用する場合とがある。斯かる状況に鑑み、本明細書に於ては、「あるものにあるものを設け、又は設けられ得る様にする」との表現を採用して記す。
本明細書添付の図面に於て、雨よけカバー４は透明との想定で図示されたものであり、本考案構成部及びロープは実線にて図示されている。
【図面の簡単な説明】
【００１４】
【図１】  実施例１を示す正面図
【図２】  図１中Ａ〜Ｂ鎖線に沿う断面図（実施例１）
【図３】  図１中Ｃ〜Ｄ鎖線に沿う断面図（実施例１）
【図４】  実施例１の使用時を示す正面図
【図５】  実施例３を示す正面図
【図６】  部分的他例を示す正面図
【図７】  部分的多例を示す正面図
【図８】  部分的多例を示す正面図
【図９】  実施例２の一部の例を示す斜視図
【図１０】  部分的多例を示す拡大断面図
【図１１】  部分的多例を示す拡大断面図
【符号の説明】
【００１５】  １        掛け具本体
２        フック
３        雨よけカバー
４        雨よけカバー
５        紐
６        ロープ
７        窓ガラス
８        荷台前方の立ち上がり枠
９        紐
１０        フック
１１        雨よけカバー
１２        フック
１３        掛け具本体
１４        棒
１５        紐
１６        雨よけカバー
１７        フック
１８        掛け具本体
１９        雨よけカバー
２０        雨よけカバー
２１        フック
２２        雨よけカバー
２３        鋲
２４        雨よけカバー
Ａ        図２の断面位置を示す符号
Ｂ        図２の断面位置を示す符号
Ｃ        図３の断面位置を示す符号
Ｄ        図３の断面位置を示す符号
Ｅ        雨よけカバー３、４の下部辺
Ｆ        雨よけカバー３、４の側部辺
Ｇ        雨よけカバー１６の一上辺
Ｈ        雨よけカバー１６の一側辺
【図１】
0003148161.tif 000003
【図２】
0003148161.tif 000004
【図３】
0003148161.tif 000005
【図４】
0003148161.tif 000006
【図５】
0003148161.tif 000007
【図６】
0003148161.tif 000008
【図７】
0003148161.tif 000009
【図８】
0003148161.tif 000010
【図９】
0003148161.tif 000011
【図１０】
0003148161.tif 000012
【図１１】
0003148161.tif 000013
【手続補正書】
【提出日】平成20年10月24日(2008.10.24)
【手続補正１】
【補正対象書類名】明細書
【補正対象項目名】００１４
【補正方法】変更
【補正の内容】
【００１４】
【図１】  実施例１を示す正面図
【図２】  図１中Ａ〜Ｂ鎖線に沿う断面図（実施例１）
【図３】  図１中Ｃ〜Ｄ鎖線に沿う断面図（実施例１）
【図４】  実施例１の使用時を示す正面図
【図５】  実施例３を示す正面図
【図６】  部分的他例を示す正面図
【図７】  部分的他例を示す正面図
【図８】  部分的他例を示す正面図
【図９】  実施例２の一部の例を示す斜視図
【図１０】  部分的他例を示す拡大一部断面図
【図１１】  部分的他例を示す拡大一部断面図